(57)【要約】      （修正有）【課題】大型動物に止め刺しを行うことができる動物捕獲装置において、小型動物の捕獲を容易にすること。【解決手段】複数の水平棒および／または複数の垂直棒により構成された桟を有する止め刺し用面を備えた檻本体１０と、檻本体１０の前面を開放する開閉扉２０と、開閉扉２０を開位置に係止する係止機構３０とを備えた動物捕獲装置１において、複数の水平棒および／または複数の垂直棒により構成された桟を有する移動壁４０と、移動壁４０を檻本体１０の後面から前面までの間を移動可能とする搬送機構とを備え、移動壁４０の桟間隔が、檻本体１０の止め刺し用面の桟間隔よりも小さいことを特徴とする。【選択図】図１
0003200511.tif 000002
【実用新案登録請求の範囲】
【請求項１】
複数の水平棒および／または複数の垂直棒により構成された桟を有する止め刺し用面を備えた檻本体と、
檻本体の前面を開放する開閉扉と、
開閉扉を開位置に係止する係止機構とを備えた動物捕獲装置において、
複数の水平棒および／または複数の垂直棒により構成された桟を有する移動壁と、
前記移動壁を檻本体の後面から前面までの間を移動可能とする搬送機構とを備え、
前記移動壁の桟間隔が、前記檻本体の止め刺し用面の桟間隔よりも小さいことを特徴とする動物捕獲装置。
【請求項２】
前記檻本体が直方体状であり、前記止め刺し用面が後面に位置することを特徴とする請求項１に記載の動物捕獲装置。
【請求項３】
前記移動壁の桟が、格子状であることを特徴とする請求項１または２に記載の動物捕獲装置。
【請求項４】
前記搬送機構が、
前記檻本体の前面および後面間に設けられた棒状部材と、
前記移動壁に設けられ、前記棒状部材が挿通される管状部材とを備えて構成されることを特徴とする請求項１ないし３のいずれかに記載の動物捕獲装置。
【請求項５】
前記移動壁が、折り畳み機構を備えることを特徴とする請求項１ないし４のいずれかに記載の動物捕獲装置。
【請求項６】
前記折り畳み機構が、前記移動壁を二つ折り可能とするためのヒンジを備えて構成されることを特徴とする請求項５に記載の動物捕獲装置。
【請求項７】
前記移動壁の桟間隔が、５ｃｍ以下であることを特徴とする請求項１ないし６のいずれかに記載の動物捕獲装置。
【考案の詳細な説明】
【技術分野】
【０００１】
本考案は、例えばイノシシ、イノブタ、クマ、シカ、サル、アナグマ、オスイタチ、ノウサギ、キツネ、タヌキ、ハト、カラスなどの野生動物を捕獲する際に用いられる動物捕獲装置に関するものである。
【背景技術】
【０００２】
従来、この種の動物を捕獲する装置として、「箱罠」と呼ばれる動物捕獲装置が知られている。この動物捕獲装置は、直方体状の檻体の前面に動物侵入用の開口部を設けると共に、開口部を開閉可能な落戸体を昇降自在に設け、動物が侵入したときに作動機構により開口部を閉塞し、侵入した動物を捕獲する構造のものが知られている（例えば、特許文献１）。
【０００３】
動物捕獲装置によりイノシシ等の大型動物が捕獲された場合、動物を生きたまま動物捕獲装置から出すと暴れて危険なため、動物捕獲装置から出す前に檻体の外から動物を槍等で突く「止め刺し」により殺処分することがある。
【先行技術文献】
【特許文献】
【０００４】
【特許文献１】特開２００５−１６８４７３
【考案の概要】
【考案が解決しようとする課題】
【０００５】
従来の大型動物（例えば、体長５０ｃｍ以上のイノシシ等）を捕獲する動物捕獲装置は、止め刺しを行うために檻体を構成する格子状の壁面の格子間隔が大きく開けられており、小型動物（例えば、体長５０ｃｍ未満のノウサギ等）が侵入しても、小型動物が格子間隔の大きい箇所から逃亡してしまい、捕獲できないという問題があった。また、侵入した小型動物を取り出す際に小型動物が動物捕獲装置内を逃げ回り、容易に収容することができないという問題があった。
そこで、本考案は、大型動物に止め刺しを行うことができる動物捕獲装置において、小型動物の捕獲を容易にすることを目的とする。
【課題を解決するための手段】
【０００６】
第１の考案は、複数の水平棒および／または複数の垂直棒により構成された桟を有する止め刺し用面を備えた檻本体と、檻本体の前面を開放する開閉扉と、開閉扉を開位置に係止する係止機構とを備えた動物捕獲装置において、複数の水平棒および／または複数の垂直棒により構成された桟を有する移動壁と、前記移動壁を檻本体の後面から前面までの間を移動可能とする搬送機構とを備え、前記移動壁の桟間隔が、前記檻本体の止め刺し用面の桟間隔よりも小さいことを特徴とする動物捕獲装置である。
【０００７】
第２の考案は、第１の考案において、前記檻本体が直方体状であり、前記止め刺し用面が後面に位置することを特徴とする。
第３の考案は、第１または２の考案において、前記移動壁の桟が、格子状であることを特徴とする。
第４の考案は、第１ないし３のいずれかの考案において、前記搬送機構が、前記檻本体の前面および後面間に設けられた棒状部材と、前記移動壁に設けられ、前記棒状部材が挿通される管状部材とを備えて構成されることを特徴とする。
【０００８】
第５の考案は、第１ないし４のいずれかの考案において、前記移動壁が、折り畳み機構を備えることを特徴とする。
第６の考案は、第５の考案において、前記折り畳み機構が、前記移動壁を二つ折り可能とするためのヒンジを備えて構成されることを特徴とする。
第７の考案は、第１ないし６のいずれかの考案において、前記移動壁の桟間隔が、５ｃｍ以下であることを特徴とする。
【考案の効果】
【０００９】
本考案の動物捕獲装置によれば、大型動物に止め刺しを行うことができる動物捕獲装置において、捕獲した小型動物の脱出を防ぐことができる。また、捕獲した小型動物を開口部へ誘導することができ、開口部での収容を容易にすることができる。
【図面の簡単な説明】
【００１０】
【図１】本考案の実施形態例に係る動物捕獲装置の全体斜視図である。
【図２】移動壁の全体斜視図であり、（ａ）は開いた状態の斜視図であり、（ｂ）は二つ折りにした状態の斜視図である。
【図３】移動壁の移動可能状態を表す上面図である。
【図４】移動壁を檻本体の後面に固定した時の斜視図である。
【図５】移動壁の移動可能状態を表す斜視図である。
【図６】移動壁を檻本体の天面に固定した時の斜視図である。
【考案を実施するための形態】
【００１１】
以下では、本考案を実施するための形態例を図面を参照しながら説明する。
【００１２】
［構成］
図１は、実施形態例に係る動物捕獲装置１の全体斜視図である。動物捕獲装置１は、檻本体１０と、開閉扉２０と、係止機構３０と、移動壁４０と、を主要な構成要素として備えており、大型動物（例えば、体長５０ｃｍ以上のイノシシ等）および小型動物（例えば、体長５０ｃｍ以下のノウサギ等）を捕獲の対象とする。
【００１３】
檻本体１０は、後面１１ａ、左側面１１ｂ、右側面１１ｃ、天面１１ｄおよび底面１１ｅ（以下では、これら５面をそれぞれ「壁面」という場合がある）を有し、前面１０Ｆが開放された直方体状である。檻本体１０の前面１０Ｆは、開閉扉２０により開閉される（以下、開閉扉２０により開かれた檻本体１０の前面１０Ｆを「開口部」と呼ぶ場合がある）。
【００１４】
檻本体１０は、イノシシ等の大型動物を収容可能な大きさ（例えば、最小辺の長さが５０ｃｍ以上）である。また、檻本体１０は、開閉扉２０の閉鎖時に前面１０Ｆから動物が逃亡しにくくするために、前面から後面までの長さが一定距離以上（例えば、８０ｃｍ以上）になるように構成されている。
檻本体１０は、壁面１１ａ〜１１ｅと、２本のレール１３ａ，１３ｂとを備えて構成される。
【００１５】
壁面１１ａ〜１１ｅは、複数の垂直棒および複数の水平棒による桟で格子状に構成される。壁面１１ａ〜１１ｅは、動物が逃げ出さない強度のある金属部材（例えば、鉄）により構成されている。
なお、図１では、説明の便宜上、壁面１１ｄの一部（丸形）について桟を図示省略している。
【００１６】
止め刺し用面を構成する後面１１ａの格子間隔は、大型動物が通過できず、かつ、止め刺しを行うための槍等を差し入れるのに十分な大きさ（例えば、８〜１０ｃｍ）に構成されている。壁面１１ｂ〜１１ｅの格子間隔は、小型動物が通過できない大きさ（例えば、５ｃｍ以下）に構成されている。
【００１７】
後面１１ａの垂直棒および水平棒の太さは、強度を確保するために、壁面１１ｂ〜１１ｅの垂直棒および水平棒の太さに比べて大きいことが好ましい。例えば、壁面１１ｂ〜１１ｅの垂直棒および水平棒の太さを５〜１０ｍｍとし、壁面１１ｂ〜１１ｅの垂直棒および水平棒の太さに対し、後面１１ａの垂直棒および水平棒の太さを２〜５ｍｍ程度太くすることが開示される。
【００１８】
レール１３ａ，１３ｂは、前面１０Ｆの両側辺に対向するように上下方向に配設された凹形の断面形状の棒状部材からなる。レール１３ａ，１３ｂ間には、開閉扉２０が昇降自在に配設されている。
【００１９】
開閉扉２０は、下端が檻本体１０の前面１０Ｆより上方の開位置と、檻本体１０の前面１０Ｆを閉鎖する閉位置を有する。開閉扉２０は、開位置にて係止機構３０により係止され、係止機構３０の係止が解除されると閉位置まで自重により落下する。開閉扉２０の重量は、作業者が開位置まで持ち上げることができるが、動物には容易に持ち上げることのできないような重量（例えば、５〜１５ｋｇ）である。動物が開閉扉２０を開閉できないよう、開閉扉２０にロック機構を設けてもよい。
【００２０】
開閉扉２０は、複数の垂直棒および複数の水平棒による桟で格子状に構成される。開閉扉２０の格子間隔ならびに垂直棒および水平棒の太さは、壁面１１ｂ〜１１ｅと同様の大きさである。開閉扉２０は、壁面１１ａ〜１１ｅと同様、金属部材（例えば、鉄）により構成されている。
【００２１】
係止機構３０は、ラッチ部３１と、ワイヤ３２と、３本の支柱３３ａ〜３３ｃと、２個の滑車３４ａ，３４ｂとを備えて構成され、ワイヤ３２が捕獲対象の動物に牽引されると、ラッチ部３１が開閉扉２０の係止を解除するものである。
【００２２】
ラッチ部３１は、開位置にある開閉扉２０を係止する係止位置と、開閉扉２０の係止を解除する解除位置を有する。
【００２３】
ワイヤ３２は、一端がラッチ部３１に接続され、他端が檻本体１０の壁面１１ｃの垂直棒に固定され、檻本体１０の左右側面１１ｂ，１１ｃ間を横切るように張架される。檻本体１０に侵入した動物の体がワイヤ３２に掛かり、ワイヤ３２が牽引されることにより、ラッチ部３１は解除位置に動かされる。
【００２４】
滑車３４ａ，３４ｂは、檻本体１０の左側面１１ｂの垂直棒に固設され、ワイヤ３２を往復移動が可能となるように案内している。
【００２５】
係止機構３０は、開閉扉２０を開位置で係止すること、および、係止を解除することができるものならば、上述の構成に限られるものではなく、例えば、動物が踏板を踏むことにより動作する構成や、ワイヤに吊られた餌を引っ張ることにより動作する構成等であってもよい。
【００２６】
図２（ａ）に示すように、移動壁４０は、２枚の壁面４１ａ，４１ｂと、搬送機構（４２ａ，４２ｂ，４３ａ，４３ｂ）と、折り畳み機構４４ａ，４４ｂとを備えて構成される。移動壁４０は、搬送機構により檻本体１０の前面１０Ｆと後面１１ａの間を移動可能となっており、捕獲された小型動物を檻本体１０の開口部に誘導することができる。また、移動壁４０は、檻本体１０の後面１１ａから止め刺しを行う際に、檻本体１０内部で移動壁４０を壁面１１ｄへ固定して退避させることができる。
【００２７】
壁面４１ａ，４１ｂは、水平棒および垂直棒による桟で格子状に構成される。壁面４１ａ，４１ｂは、上下に並べて設けられ、折り畳み機構４４ａ，４４ｂにより接続される。壁面４１ａ，４１ｂの格子間隔は、壁面１１ｂ〜１１ｅおよび開閉扉２０と同様の大きさであり、後面１１ａの格子間隔よりも小さい。壁面４１ａ，４１ｂの垂直棒および水平棒の太さは、壁面１１ｂ〜１１ｅおよび開閉扉２０と同様の大きさである。
【００２８】
搬送機構は、２本の管状部材４２ａ，４２ｂと、２本の棒状部材４３ａ，４３ｂ（図４参照）とを備えて構成される。
管状部材４２ａ，４２ｂは、壁面４１ａの最上部の水平棒に設けられ、ために棒状部材４３ａ，４３ｂが挿通されて壁面４１ａ，４１ｂを懸架する。
【００２９】
図３に示すように、棒状部材４３ａ，４３ｂは、壁面１１ａおよび開閉扉２０に架橋され、移動壁４０を倒すことなく移動させるための案内を形成する。棒状部材４３ａ，４３ｂの長さは、橋架が外れ落ちないようにするため、壁面１１ａと開閉扉２０の間隔よりも若干（例えば、１０〜２０ｃｍ）長い。また、棒状部材４３ａ，４３ｂの外径は、壁面１１ａおよび開閉扉２０の格子に挿通するため、これらの格子間隔よりも細い（例えば、２ｃｍ以下）。棒状部材４３ａ，４３ｂは、収納性をよくするために伸縮可能とする機構が設けられていてもよい。
【００３０】
管状部材４２および棒状部材４３は、１個であってもよいが、回転により壁面１１ｂ〜１１ｅと干渉して移動壁４０の移動が妨げられることを防ぐため、２個とすることが好ましい。
【００３１】
折り畳み機構４４ａ，４４ｂは、移動壁４０を二つ折りして占有面積を小さくし、捕獲された大型動物により檻本体１０内の空間が圧迫された状態においても、移動壁４０を退避できるようにするためのものである。折り畳み機構４４ａ，４４ｂは、例えば図２（ｂ）に示すように、壁面４１ｂを壁面４１ａに重ねて二つ折り可能とするヒンジを備えて構成される。二つ折りの方向は、小型動物が檻本体１０の後面１１ａ側に突破し、後面１１ａから逃亡することができないよう、矢印４５の向きのように、檻本体１０の前面１０Ｆ側にのみ可能としてもよい。
【００３２】
なお、折り畳み機構４４ａ，４４ｂの代わりに、スライド機構を設け、壁面４１ｂを上方向にスライドさせて、壁面４１ａに重ねて収納させる機構としてもよい。この場合、小型動物が壁面４１ｂをスライドさせることができないように、ロック機構を設けてもよい。
【００３３】
壁面１１ａ〜１１ｅ，４１ａ，４１ｂおよび開閉扉２０は、水平棒および垂直棒による桟での格子状の構成に限られず、水平棒または垂直棒のみによる桟の構成であってもよい。また、壁面４１ａ，４１ｂを水平棒または垂直棒のみによる桟の構成とし、後面１１ａを垂直棒または水平棒のみによる桟の構成とし、壁面１１ａと壁面４１ａ，４１ｂが重なった場合に格子をなすことにより、小型動物の通過を困難とする構成としてもよい。
【００３４】
壁面１１ａおよび開閉扉２０は、棒状部材４３ａ，４３ｂを橋架できるようにするため、少なくとも１本の水平棒を備えて構成されることが好ましい。
以上のような構成であっても、壁面１１ｂ〜１１ｅ，４１ａ，４１ｂおよび開閉扉２０の水平棒または垂直棒の桟間隔は、小型動物が通過できない大きさ（例えば、５ｃｍ以下）であることが好ましく、壁面１１ａの水平棒または垂直棒の桟間隔は、槍等を差し入れ、止め刺しを行うに十分な大きさ（例えば、８ｃｍ以上）であることが好ましい。
【００３５】
［使用態様］
本形態例に係る動物捕獲装置１の使用は、次のように行われる。
まず、動物捕獲装置１を地面に設置し、移動壁４０の壁面４１ａの上辺および壁面４１ｂの下辺を後面１１ａに紐等で縛る等して固定する（図４参照。なお、図４〜６では、説明の便宜上、紐等を省略し、壁面１１ａの桟を太い線で図示している。）。次いで、檻本体１０内の後面１１ａ側に動物をおびき寄せるための餌を置き、開閉扉２０を開位置に動かし、係止機構３０を係止位置に動かし、ワイヤ３２を張架する。以上により、動物捕獲装置１は捕獲可能な状態となる。
【００３６】
小型動物が捕獲された場合、まず、ワイヤ３２を外し、移動壁４０の固定をほどき、棒状部材４３ａ，４３ｂを檻本体１０の外側から挿入して移動壁４０の管状部材４２ａ，４２ｂに挿通する。次いで、棒状部材４３ａ，４３ｂを壁面１１ａおよび開閉扉２０の格子に橋架し、移動壁４０をぶら下げ（図５参照）、檻本体１０の外側から鉤付きの棒等を用いて移動壁４０を檻本体１０の前面１０Ｆ付近（図３の点線参照）まで移動させる。これにより、移動壁４０と檻本体１０の前面１０Ｆに挟まれた空間は小さくなり、小型動物は、逃げ場がなくなり、檻本体１０の前面１０Ｆへ誘導される。次いで、開閉扉２０を空け、檻本体１０の前面１０Ｆに開口部を形成し、小型動物を開口部から別途用意した容器に収容する。
【００３７】
大型動物が捕獲された場合、まず、ワイヤ３２を外し、移動壁４０の壁面４１ｂの下辺側（檻本体１０の底面１１ｅ側）の固定をほどく。次いで、天面１１ｄから鉤付きの棒等を用い、壁面４１ｂの下辺を引き上げて移動壁４０の壁面４１ｂを折り、さらに折り目をなしている壁面４１ａの下辺および壁面４１ｂの上辺を天面１１ｄ付近まで引き上げる。次いで、二つ折りされた壁面４１ａ，４１ｂを天面１１ｄに紐等で縛る等して固定する。これにより、移動壁４０は檻本体１０の後面１１ａから天面１１ｄに退避される（図６参照）。次いで、後面１１ａの格子間より槍等を差し込んで大型動物に対して止め刺しを行う。次いで、開閉扉２０を開けて開口部を形成し、大型動物を引き出す。
【００３８】
本形態例に係る動物捕獲装置１によれば、捕獲された小型動物は檻本体１０の壁面１１ｂ〜１１ｅ、開閉扉２０、移動壁４０に囲まれ、それぞれの壁面の格子間隔は小型動物が通過できない大きさであるため、捕獲した小型動物の脱出を防ぐことが可能となる。また、搬送機構（４２ａ，４２ｂ，４３ａ，４３ｂ）により移動壁４０を移動させることができるので、捕獲した小型動物を開口部へ誘導することができ、小型動物の収容を容易にすることができる。
【符号の説明】
【００３９】
１    動物捕獲装置
１０    檻本体
１１    壁面
１３    レール
２０    開閉扉
３０    係止機構
３１    ラッチ部
３２    ワイヤ
３４    滑車
４０    移動壁
４１    壁面
４２    管状部材
４３    棒状部材
４４    折り畳み機構
【図１】
0003200511.tif 000003
【図２】
0003200511.tif 000004
【図３】
0003200511.tif 000005
【図４】
0003200511.tif 000006
【図５】
0003200511.tif 000007
【図６】
0003200511.tif 000008